(57)【要約】【課題】ガスタービンの腐食防止用の保護物を適用するための方法およびシステムを提供する。【解決手段】タービンエンジン用の腐食防止処理を散布するための方法およびシステムが、入口抽気加熱システムを取り入れることができる。一実施形態においては、一方法が、タービンエンジンのための腐食防止流体を選択するステップと、前記腐食防止流体を、前記タービンエンジンに流体の流れに関して接続され、前記腐食防止流体を気体に変換するために使用される蒸発システムを介して、分配するステップとを含むことができる。【選択図】図１
2015113840.tif 000002
【特許請求の範囲】
【請求項１】
腐食防止流体を気体に変換するために使用される蒸発システムに連通した金属用の腐食防止流体の供給源（１２０）と、
前記蒸発システムに連通した通路（１１２）と、
前記通路に連通したタービンエンジン（１１６）と
を備え、
前記腐食防止流体が、前記通路（１１２）を介して前記タービンエンジン（１１６）に分配されるシステム。
【請求項２】
前記蒸発システムが、入口抽気加熱システムである請求項１に記載のシステム。
【請求項３】
前記入口抽気加熱システムが、入口抽気加熱マニホールド（１１１）または入口抽気加熱配管（１２４）を備える請求項２に記載のシステム。
【請求項４】
前記腐食防止流体が、ポリアミンを主体とする流体である請求項１に記載のシステム。
【請求項５】
前記タービンエンジン（１１６）が、圧縮機部分（１１７）およびタービン部分（１１９）を備える請求項１に記載のシステム。
【請求項６】
前記腐食防止流体が、前記タービンエンジン（１１６）がオフラインであるときに適用される請求項１に記載のシステム。
【請求項７】
前記腐食防止流体の供給源に連通した混合室
をさらに備える請求項１に記載のシステム。
【請求項８】
前記混合室に連通した水の供給源
をさらに備え、
前記混合室が、腐食防止剤を前記水と混合して前記腐食防止流体を作成し、前記腐食防止剤は、前記タービンエンジン（１１６）の状態に基づいて選択される請求項７に記載のシステム。
【請求項９】
前記タービンエンジンの状態が、タービンエンジンの出力レベル、腐食防止流体の適用の間の経過時間、タービンエンジンの経過動作時間、タービンエンジンの温度、または動作中のタービンエンジンの付近の大気の状態のうちの少なくとも１つを含む請求項８に記載のシステム。
【請求項１０】
前記腐食防止流体が、腐食防止流体のグループから前記タービンエンジンの状態に基づいて選択される請求項１に記載のシステム。
【請求項１１】
タービンエンジンのための腐食防止流体を選択するステップと、
前記腐食防止流体を、前記タービンエンジンに流体の流れに関して接続され、前記腐食防止流体を気体に変換するために使用される蒸発システムを介して分配するステップと
を含む方法。
【請求項１２】
前記腐食防止流体が、ポリアミンを主体とする流体である請求項１１に記載の方法。
【請求項１３】
前記腐食防止流体を、前記タービンエンジンの圧縮機の付近のベルマウス注入ノズルを介して分配するステップ
をさらに含む請求項１１に記載の方法。
【請求項１４】
腐食防止剤を、前記タービンエンジンの状態に基づく所定の比で水と混合することによって、前記腐食防止流体を生成するステップ
をさらに含む請求項１１に記載の方法。
【請求項１５】
前記腐食防止流体が、シクロヘキシルアミン、モルホリン、モノエタノールアミン、Ｎ−９−オクタデセニル−１，３−プロパンジアミン、９−オクタデセン−１−アミン、（Ｚ）−１−５、ジメチルアミンプロピルアミン（ＤＭＰＡ）、ジエチルアミノエタノール（ＤＥＡＥ）、またはポリアミンのうちの少なくとも２つを組み合わせることから生成される請求項１１に記載の方法。
【請求項１６】
コンピュータにとって読み取り可能なインストラクションを実行するように構成されたプロセッサと、
前記プロセッサに通信可能に接続され、コンピュータにとって読み取り可能なインストラクションを記憶しているメモリと
を備え、
前記コンピュータにとって読み取り可能なインストラクションが、前記プロセッサによって実行された場合に、
タービンエンジンのための腐食防止流体を選択するためのインストラクションをもたらすステップと、
前記腐食防止流体を、前記タービンエンジンに流体の流れに関して接続され、前記腐食防止流体を気体に変換するために使用される蒸発システムを介して分配するためのインストラクションをもたらすステップと
を含む動作を前記プロセッサに実行させるシステム。
【請求項１７】
前記腐食防止流体が、ポリアミンを主体とする流体である請求項１６に記載のシステム。
【請求項１８】
前記蒸発システムが、入口抽気加熱システムを含む請求項１６に記載のシステム。
【請求項１９】
前記入口抽気加熱システムが、入口抽気加熱マニホールド（１１１）または入口抽気加熱配管（１２４）を備える請求項１６に記載のシステム。
【請求項２０】
前記腐食防止流体が、水、シクロヘキシルアミン、モルホリン、モノエタノールアミン、Ｎ−９−オクタデセニル−１，３−プロパンジアミン、９−オクタデセン−１−アミン、（Ｚ）−１−５、ジメチルアミンプロピルアミン（ＤＭＰＡ）、ジエチルアミノエタノール（ＤＥＡＥ）、またはポリアミンのうちの少なくとも２つを組み合わせることから生成される請求項１６に記載の方法。
【発明の詳細な説明】
【技術分野】
【０００１】
本発明は、ガスタービンの腐食防止用の保護物を適用するための方法およびシステムに関する。
【背景技術】
【０００２】
ガスタービンエンジンの圧縮機は、入口をバイパスして種々の程度の衝突による損傷（例えば、腐食、先端の浸食／摩擦、後縁の薄化、およびステータの根元の浸食）を引き起こす塵埃の取り込みおよび偶発的な脱落による異物の進入に曝される可能性がある。さらに、ガスタービンエンジンは、時間につれて燃焼プロセスの副生成物である種々の残留物の付着の蓄積を被る羽根およびタービンの他の構造物を有する。衝突による損傷および付着物の蓄積は、タービンの効率の低下およびガスタービンエンジンの構成部品の劣化の可能性につながる。
【先行技術文献】
【特許文献】
【０００３】
【特許文献１】米国特許出願公開第２０１４／０１２６９９８号明細書
【発明の概要】
【０００４】
タービンエンジンの腐食防止の保護物を散布するための方法およびシステムが、本明細書において開示される。一実施形態においては、システムが、腐食防止流体を気体に変換する蒸発システムに連通した金属用の腐食防止流体の供給源を備える。さらにシステムは、前記蒸発システムに連通した通路と、前記通路に連通したタービンエンジンとを備え、前記腐食防止流体が、前記通路を介して前記タービンエンジンに分配される。
【０００５】
一実施形態においては、一方法が、タービンエンジンのための腐食防止流体を選択するステップと、前記腐食防止流体を、前記タービンエンジンに流体の流れに関して接続され、前記腐食防止流体を気体に変換するために使用される蒸発システムを介して、分配するステップとを含むことができる。
【０００６】
一実施形態においては、システムが、コンピュータにとって読み取り可能なインストラクションを実行するように構成されたプロセッサと、前記プロセッサに通信可能に接続されたメモリとを備えることができる。前記メモリは、前記プロセッサによって実行された場合に、
タービンエンジンのための腐食防止流体を選択するステップと、
前記腐食防止流体を、前記タービンエンジンに流体の流れに関して接続され、腐食防止流体を気体に変換する蒸発システムを介して分配するためのインストラクションをもたらすステップと
を含む動作を前記プロセッサに実行させるコンピュータにとって読み取り可能なインストラクションを記憶することができる。
【０００７】
この「発明の概要」は、「発明を実施するための形態」においてさらに後述される考え方の選択を、簡単な形で照会するために提示されている。この「発明の概要」は、請求項に記載される主題の重要な特徴または必須の特徴を特定しようとするものではなく、請求項に記載の主題の技術的範囲を限定するために使用されるものでもない。さらに、請求項に記載の主題は、必ずしも本明細書のいずれかの部分において述べられるいずれかの不都合またはすべての不都合を解消する限定事項に限られない。
【０００８】
さらに詳細な理解を、添付の図面と併せてあくまでも例として提示される以下の説明から、得ることができる。
【図面の簡単な説明】
【０００９】
【図１】タービンおよび圧縮機の配管を備えるガスタービンエンジンの切断図である。
【図２】発電システムの典型的な図である。
【図３】ガスタービンの腐食防止処理の典型的な適用方法（ただし、これに限られるわけではない）を示している。
【図４】ガスタービンの腐食防止処理の典型的な適用方法（ただし、これに限られるわけではない）を示している。
【図５】本明細書に開示の方法およびシステムの態様またはその一部を取り入れることができる汎用のコンピュータシステムを代表する典型的なブロック図である。
【発明を実施するための形態】
【００１０】
ポリアミン主体の流体などのガスタービンの腐食防止流体を適用する方法およびシステムが、本明細書において開示される。一実施形態においては、既存の入口抽気加熱（ＩＢＨ）配管を、抽気加熱分配マニホールドとの組み合わせにおいて、腐食防止の保護をもたらすべく腐食防止流体を輸送および適用する手段として利用することができる。
【００１１】
本明細書において使用されるとき、用語「ポリアミン」は、２つ以上の第一アミノ基−ＮＨ２を有する有機化合物を指して使用される。一実施形態において、腐食防止剤は、酸性の汚染物質を中和してｐＨをアルカリ範囲に高め、保護用の金属酸化物被膜をきわめて安定かつ付着性にする揮発性の中和アミンを含むことができる。腐食防止剤の例（ただし、これらに限られるわけではない）として、シクロヘキシルアミン（ｃｙｃｌｏｈｅａｘｙｌａｍｉｎｅ）、モルホリン、モノエタノールアミン、Ｎ−９−オクタデセニル−１，３−プロパンジアミン、９−オクタデセン−１−アミン，（Ｚ）−１−５、ジメチルアミンプロピルアミン（ＤＭＰＡ）、ジエチルアミノエタノール（ＤＥＡＥ）など、ならびに上述のうちの少なくとも１つを含む組み合わせが挙げられる。例えば、腐食防止流体は、ポリアミン（多官能有機アミン腐食防止剤）と中和アミン（揮発性有機アミン）との組み合わせを含むことができる。腐食防止流体の種々の比の混合物を、弁の調節を変えることによって導入することができる。
【００１２】
一実施形態においては、とりわけ出力の増大、ＮＯｘの軽減、または電力系統の周波数の維持をもたらすために、腐食防止流体の過剰な利用が不可能であることを保証する適切な論理を有効にすることができる。腐食防止流体の適用は、とりわけ環境条件、劣化の速度、ガスタービンエンジンのフレームのサイズ、実行される洗浄の種類、洗浄の継続時間、または内視鏡検査など、１つ以上の条件に基づくことができる。
【００１３】
図１が、冷却用およびシール用の空気弁および配管部品を備えるガスタービンエンジン１１の典型的な図である。圧縮機１５が、いくつかの段を含むことができる。図１に示されるとおり、圧縮機のＡ段５４、Ｂ段５５、またはＣ段５６が存在できる。用語「Ａ段」、「Ｘ段」などは、「第１段」、「第２段」などと対照的に、本明細書に記載されるシステムおよび方法が何らかの形で圧縮機またはタービンの実際の第１段または第２段における使用に限定されるという推論を避けるために使用される。任意の数の段を使用することができる。各段は、翼５９、翼６０、および翼６１など、いくつかの周状に配置された回転翼を備える。任意の数の翼を使用することができる。翼を、ロータホイール６５に取り付けることができる。ロータホイール６５を、出力駆動軸に、出力駆動軸と一緒に回転するように取り付けることができる。各段は、いくつかの周状に配置された固定の羽根６７をさらに備えることができる。任意の数の羽根６７を使用することができる。羽根６７を、外ケーシング７０の内側に取り付けることができる。ケーシング７０は、ベルマウス７５からタービン１７に向かって延びることができる。空気２２の流れが、ベルマウス７５の周囲において圧縮機１５に進入し、燃焼器に流れる前に各段の翼（例えば、とりわけ翼５９、６０、および６１）および羽根６７によって圧縮される。
【００１４】
図２が、発電システム１０５の典型的な図である。通常の動作において、吸気が入口フード１１４を介して入口フィルタ室１１０に流入し、複数のフィルタエレメントを通過して流れる。フィルタ処理された吸気が、空気ダクト（入口ダクト）または通路１１２をガスタービンエンジン１１６へと通過する。通路１１２は、入口抽気加熱マニホールド１１１を含むことができる。ガスタービンエンジン１１６は、圧縮機部分１１７と、燃焼部分１１８と、タービン部分１１９とを備える。圧縮機部分１１７からの高圧の空気が、ガスタービンエンジン１１６の燃焼部分１１８に進入し、燃焼部分１１８において空気が燃料と混合され、燃焼させられる。
【００１５】
図２に示されるように、入口抽気加熱（ＩＢＨ）配管１２４が、ＩＢＨマニホールド１１１に接続されている。ＩＢＨ配管１２４は、腐食防止流体の供給源１２０に接続された腐食防止流体配管１２２に流体の流れに関して接続されている。入口抽気加熱（ＩＢＨ）を、操作性を向上させるべく運転または最適化されるときの着氷からガスタービンエンジンの圧縮機を保護し、あるいはさらなる圧縮機の動作マージンが必要とされる特定の運転状況において圧縮機の圧力比を下げるために使用することができる。ＩＢＨ制御として知られるガスタービンエンジンのこの動作方法は、低温の外気を圧縮機から吐出される高温の空気の抽出部分と混ぜ合わせることによって圧縮機の吸気の入口温度を高めることで、空気の密度を下げ、ガスタービンエンジンへの質量流量を減らす。ＩＢＨ配管１２４およびＩＢＨマニホールド１１１は、伝統的に、吸気フィルタの下流に位置している。
【００１６】
一実施形態においては、腐食防止流体が、ポリアミン主体の流体と水との混合物を含むことができる。腐食防止流体は、所定の比の腐食防止剤、水、および他の流体であってよい。腐食防止流体を、腐食防止流体配管１２２を介してＩＢＨ配管１２４に導入することができる。水−ポリアミンの混合物を、ＩＢＨシステムによって気体（例えば、蒸気）に変換することができる。ＩＢＨシステムが、腐食防止流体を気化させるための蒸発システムとして機能する。腐食防止流体は、空気ダクト１１２を通って圧縮機のベルマウスに移動することができる。本明細において説明および示唆されるように、腐食防止流体の使用の決定および実行を支援する各種の弁、混合室、センサ、制御部などが存在できる。腐食防止流体の適用を支援するためのＩＢＨ配管１２４の使用を、ガスタービンエンジンが通常のオンライン動作にあるときに行うことができ、オンライン洗浄中に行うことができ、あるいはオフライン洗浄の後に行うことができる。さらに、気体の腐食防止流体の支援または生成のために、別の装置を使用することも可能であると考えられる。例えば、別の装置が、単独またはＩＢＨシステムとの組み合わせにおいて、気体を生じさせるために腐食防止流体の温度を高めることができる。別の実施形態においては、腐食防止流体を、タンクローリーなどの独立した外部の供給源から供給することができる。外部の供給源を、ＩＢＨ配管１２４に接続された腐食防止流体配管１２２の迅速着脱設備によって手作業で接続することができる。
【００１７】
腐食防止流体を、ガスタービンエンジン１１６がオフラインまたはオンラインであるときにＩＢＨマニホールド１１１によって散布することができる。ガスタービンエンジン１１６を、装置が通常の発電の出力レベルを大きく下回って動作しているときに、オフラインと考えることができる。ガスタービンエンジン１１６がオンラインであるか否かを出力レベルに基づいて判断することができるが、通常は、より高い温度で動作しているガスタービンエンジン１１６（例えば、１４５°Ｆよりも上でのタービンの動作）が含まれる。オフラインでの洗浄の際に、ガスタービンエンジン１１６を、ガスタービンエンジンに導入される水または洗浄用の混合物が内部の金属に熱的な衝撃を与えたり、クリープを生じさせたりすることがなく、あるいは材料の機械的または構造的な変形を引き起こすことがないように、内部の空間および表面が充分（例えば、約１４５°Ｆ）に冷却されるまで冷ますことができる。
【００１８】
一実施形態においては、水および１つ以上の腐食防止剤だけを、所定の比で混合することができる。水−腐食防止剤の混合物を、別途の貯蔵タンクに保持することができる（例えば、あらかじめ混合された腐食防止流体）。得られる腐食防止流体のための混合物は、ガスタービンエンジンのフレームのサイズ、排出との組み合わせにおける洗浄の継続時間、または流れの要件に基づくことができる。比を、アミンの種類に基づいて調節することもできる。
【００１９】
ひとたび混合されると、腐食防止流体を、金属上に分子層コーティング、すなわちマイクロコーティングを生成するために散布することができる。金属の不動態化が、金属または金属合金の基材を腐食性の種から保護するコーティング（例えば、金属酸化物層）を形成することによって、金属および／または金属合金の基材にガスタービンエンジンにおいて見られる環境因子（例えば、高温、燃焼副生成物、破片など）からの保護シールドをもたらす。一実施形態においては、腐食防止流体の適用からもたらされるコーティングが、圧縮機１１７などの圧縮機の金属または金属合金の基材における結合を、強化するように機能することができる。腐食防止流体の混合物（例えば、腐食防止剤の種類）に基づき、腐食防止コーティングの顕著な熱分解は、５００℃を超える温度に達するまでは見られないと考えられる。一実施形態においては、本明細書に記載のシステムを使用して一連の腐食防止処理サイクルを圧縮機１１７に適用し、多層の腐食防止コーティングをもたらすことができる。
【００２０】
腐食防止流体は、金属の不動態化を使用し、ガスタービンエンジンにおける金属および／または金属合金の基材に、本明細書において説明されるように圧縮機１１７の手前のＩＢＨマニホールド１１１に位置する入口点を介して腐食防止の混合物を接触させることによって腐食防止コーティングをもたらことで、圧縮機１１７に耐食性および／または腐食抑制をもたらすことができる。結果として、腐食防止流体が、ガスタービンエンジンの圧縮機１１７の各段およびその種々の金属製の構成部品（例えば、圧縮機の翼および固定子の羽根）を（部分的または完全に）被覆する。
【００２１】
腐食防止流体は、水および腐食防止剤を、特定的に選択される所定の比にて含むことができる。ガスタービンエンジンにおいて腐食防止コーティングをもたらすために適した任意の腐食防止剤を、使用することができる。一実施形態においては、腐食防止剤が、ガスタービンエンジンの構成部品の金属／金属酸化物表面に吸着することによって、腐食の原因となりうる種（例えば、溶存酸素、炭酸、塩化物／硫酸塩の陰イオンなど）についてガスタービンエンジンの構成部品の金属または金属合金の基材表面へのアクセスを制限することで、腐食抑制剤として機能する有機アミンである。一実施形態においては、腐食防止剤が、２つ以上の有機アミンである。一実施形態においては、腐食抑制剤が、ポリアミンである。一実施形態においては、腐食防止の処理が、ポリアミンおよび中和アミンの組み合わせを含むことができる。
【００２２】
図２を参照すると、配管１２２に接続された弁（図示されていない）が、圧縮機１１７への流体の適用に基づく腐食防止剤または流体の種々の供給源の間の選択を可能にすることができる。腐食防止流体は、蒸気であってよい。腐食防止流体を、例えばトラックなどの外部の供給源から供給することができ、本明細書に開示のとおりの迅速着脱部を介して手作業で接続することができる。腐食防止流体を、所定の比（アミンの種類に基づいて調節可能である）にて自動的に混合し、その後に散布することができる。導入および排出弁を随意により配置し、腐食防止流体の導入に先立って調節することができる。
【００２３】
発電システム１０５は、種々のセンサのなかでもとりわけ、モータセンサ、流体レベルセンサ、流体圧力センサ、混合物流出圧力センサ、ガスタービンエンジンの圧縮機部分における圧力を検出する圧縮機圧力センサ、ガスタービンエンジン１１６における圧力を検出するタービン圧力センサ、または弁位置センサなど、複数のセンサ（図示されていない）を備えることができる。発電システム１０５は、配管を通って流れる（あるいは、流れていない）流体の流量を検出するように構成された流量センサをさらに備えることができる。
【００２４】
図３が、ガスタービンエンジンへの腐食防止流体の適用の典型的な方法４００（ただし、これに限られるわけではない）を示している。一実施形態では、ステップ４０５において、腐食防止流体を選択することができる。腐食防止流体を、金属用の公知の腐食防止流体から選択することができる。ステップ４１０において、腐食防止流体を、ＩＢＨシステムによって気化させることができる。ステップ４１５において、腐食防止流体を、ガスタービンエンジンに分配することができる。入口抽気加熱マニホールドが、通常は吸気フィルタとガスタービンエンジンの圧縮機との間のダクトに位置する。ガスタービンエンジンに向かうダクト内の空気の流れが、ガスタービンエンジンの圧縮機への腐食防止流体の分配を補助する。
【００２５】
図４が、ガスタービンエンジンへの腐食防止流体の適用の典型的な方法５００（ただし、これに限られるわけではない）を示している。この実施形態では、ステップ５０５において、ガスタービンエンジン（例えば、圧縮機またはタービン）の状態を判断することができる。状態を、センサ、内視鏡検査などに基づいて判断することができる。状態として、とりわけ、圧縮機またはタービンが清浄であるか、およびあらかじめ処理されているか（例えば、破片または塵埃の量）、ガスタービンエンジンが動作中であるか（例えば、オフラインまたはオンライン）、ガスタービンエンジンがどれくらい長く動作してきたか、あるいはタービンの出力を挙げることができる。ガスタービンエンジンが清浄であるか否かの状態を、とりわけ、汚れセンサからのデータ、清掃の間の経過時間、あるいはガスタービンエンジンの動作時の大気の状態によって判断することができる。
【００２６】
ステップ５１０において、ガスタービンエンジンに適用すべき腐食防止流体の種類を、ガスタービンエンジンの状態に基づいて決定することができる。ガスタービンエンジンの状態として、ガスタービンエンジンの種類、動作環境、ガスタービンエンジンの損傷の程度、ガスタービンエンジンの温度、ガスタービンエンジンの出力レベルなどを挙げることができる。
【００２７】
ステップ５１５において、腐食防止流体を、ガスタービンエンジンの状態に基づいてガスタービンエンジンに適用することができる。圧縮機、タービン、または他のガスタービンエンジンの構成部品が、腐食防止流体の適用時に汚れている場合、腐食防止流体が、ガスタービンエンジンの構成部品に適切に結合できず、結果として適用された腐食防止流体の有効性が低くなる可能性がある。一実施形態においては、エアロゾル化された腐食防止流体を、ガスタービンエンジンの清掃後に適用することができる。清掃は、以下のうちの１つ以上を含むことができ、すなわち圧縮機の洗浄のための洗剤および脱塩水の利用、「内部すすぎ（ｉｎｔｒａ  Ｒｉｎｓｅ）」溶液の利用、あるいは事前の不動態化処理とそれに続く中和洗浄のうちの１つ以上を含むことができる。
【００２８】
典型的な実施形態においては、制御システム１９０が、無線または有線によって本明細書に記載のセンサと通信し、さらにモータの始動、停止、または速度の制御のために設けられた駆動機構（図示されていない）と通信する。制御システムは、本明細書に記載のとおりの発電システム１０５の動作を達成するために使用される弁の開閉または位置の調節を行うことができる。
【００２９】
図２に示されるとおりの制御システム１９０は、パネル／表示装置に通信可能に接続されたコンピュータシステムであってよい。制御システム１９０は、センサの入力およびヒューマンマシンインターフェイス（ＨＭＩ）端末を介する人間の運転者からの指示を使用して発電システム１０５の動作を制御するためのプログラムを実行することができる。さらに、典型的な実施形態においては、制御システム１９０を、ポリアミンまたは他の剤に対する水の比を変更（または、制限）し、一連の洗浄のサイクル時間を変更（または、制限）し、あるいは洗浄またはすすぎのサイクルにおける各工程の順序を変更（または、制限）し、もしくは腐食防止流体の適用の順序の変更または継続時間の制限を行うようにプログラムすることができる。
【００３０】
制御システム１９０は、発電システムおよび装置に通信可能に接続される。ひとたび腐食防止流体の適用を許すすべての所定の論理が満たされると、腐食防止流体を使用したオンライン洗浄／処理を有効にでき、腐食防止流体を適切に適用することができる。制御システム１９０が、腐食防止流体の適用の動作の態様に合わせて特定的に設計された所定の／あらかじめ設計された手順に基づいて、ガスタービンエンジンを自動的に運転することができる。オンライン洗浄／処理システムの起動および動作のための方法は、オンラインでの適用／分配に相応しい出力および他のタービン制御パラメータが満足されているかどうかを判断するステップを含む。制御システム１９０は、燃焼器の状態が洗浄の手順において空気の流れの変化に遅れることがないよう、圧縮機の吐出圧に対する燃料の比の制御を容易にすべく、圧縮機からの空気の流れを実質的に一定に維持することを試みることができる。動作の際に、このシステムは、タービンを通る「質量流」を増やすことで、電力系統にもたらされる電力の増加を可能にするという効果を有すると考えられる。上記を念頭に、制御システム１９０を、出力の増大、ＮＯｘの軽減、または電力系統の周波数の維持のために過剰に使用（例えば、誤用）される可能性がないように保証するために、適切な確認および制限によって構成することができる。
【００３１】
一実施形態においては、腐食防止流体の適用（例えば、オンライン洗浄、入口抽気加熱システム、気化冷却システムなどによる）の際に、制御システム１９０を、適切な出力レベルを維持するようにガスタービンエンジン１１６の制御を補助する指示をシステムにもたらすように構成することができる。適切な出力レベルは、手作業による設定、現状または類似のガスタービンエンジンの解析による決定などが可能である。一実施形態においては、過剰な使用を、オンラインでの腐食防止流体の散布の制御ロジックを変更するためのアクセスを制限ることによって最小化することができる。例えば、オンラインでの腐食防止流体の散布におけるポリアミン−水の比の変更のためのアクセスを最小限にでき、腐食防止流体の散布の手順における（例えば、散布間の）サイクル時間の変更のためのアクセスを最小限にでき、あるいはオンラインでの腐食防止流体の散布における（例えば、散布中の）サイクル時間の変更のためのアクセスを最小限にできるなどである。オンラインでの腐食防止流体の散布または腐食防止流体の他の適用の誤用を、本明細書において提案されるように、腐食防止流体の適用に関する頻度および他のデータにおけるパターンによって示すことができる。
【００３２】
本明細書に現れる特許請求の範囲の技術的範囲、解釈、または適用を決して限定するものではないが、本明細書に開示される技術的効果は、ガスタービンエンジンの圧縮機の翼および固定子の羽根の表面への保護層の形成を助けるために、或る酸およびアルカリ化学物質の比での化学物質（すなわち、腐食抑制剤）の組み合わせを、温度による支援の環境条件において利用することである。比を、あらかじめ定めることが可能である。腐食の軽減は、取り戻された性能をより長い時間にわたって維持する役に立つ。腐食抑制剤の適用は、圧縮機の翼またはタービンの翼について、幾多の水洗浄からの浸食の傾向を軽減することができる。腐食防止の分配システムを、入口抽気加熱システムまたは本明細書において述べられるシステムなどの他の既存のシステムに一体化させることで、新規に広範囲にわたって配管を延ばす必要性またはケーシングに穴を開ける必要性を、最小限にすることができる。
【００３３】
図５および以下の説明は、本明細書に開示の方法およびシステムならびに／あるいはそれらの一部分を実現することができる適切なコンピュータ環境について、簡単な概略の説明をもたらすことを意図している。必ずしもそのようである必要はないが、本明細書に開示の方法およびシステムの各部分を、クライアントワークステーション、サーバ、またはパーソナルコンピュータなどのコンピュータ、あるいはスマートフォンなどの携帯コンピュータデバイスによって実行されるプログラムモジュールなど、コンピュータによって実行することができるインストラクションという全体的な文脈において説明する。一般に、プログラムモジュールは、特定のタスクを実行し、あるいは特定の抽象データ型を提供するルーチン、プログラム、オブジェクト、コンポーネント、データ構造などを含む。さらに、本明細書に開示の方法およびシステムならびに／あるいはそれらの一部分を、ハンドヘルドデバイス、マルチプロセッサシステム、マイクロプロセッサ基盤またはプログラム可能な家庭用電化製品、ネットワークＰＣ、ミニコンピュータ、メインフレームコンピュータなどといった他のコンピュータシステムの構成において実施できることを、理解すべきである。プロセッサを、単一のチップ、複数のチップ、または異なるアーキテクチャを有する複数の電気部品において実現することができる。本明細書に開示の方法およびシステムを、タスクが通信ネットワークによって結び付けられた遠方の処理装置によって実行される分散コンピューティング環境において実現することもできる。分散コンピューティング環境において、プログラムモジュールは、現場および遠方の両方のメモリ記憶装置に位置することができる。
【００３４】
図５が、本明細書に開示の方法およびシステムの態様またはその一部を取り入れることができる汎用のコンピュータシステムを代表するブロック図である。図示のとおり、典型的な汎用のコンピュータシステムは、処理ユニット６２１と、システムメモリ６２２と、システムメモリを含む種々のシステム構成要素を処理ユニット６２１に接続するシステムバス６２３とを備えるコンピュータ６２０などを備える。システムバス６２３は、メモリバスまたはメモリコントローラ、周辺機器バス、ならびにローカルバスなど、種々のバスアーキテクチャのいずれかを使用するいくつかの種類のバス構造のいずれかであってよい。システムメモリは、読み出し専用メモリ（ＲＯＭ）６２４およびランダムアクセスメモリ（ＲＡＭ）６２５を含む。起動時などにコンピュータ６２０内の構成要素間の情報の伝達を助ける基本ルーチンを含んでいる基本入出力システム６２６（ＢＩＯＳ）が、ＲＯＭ６２４に保存される。
【００３５】
コンピュータ６２０は、ハードディスク（図示されていない）について読み出しおよび書き込みを行うためのハードディスク駆動装置６２７、取り出し可能な磁気ディスク６２９について読み出しおよび書き込みを行うための磁気ディスク駆動装置６２８、ならびにＣＤ−ＲＯＭまたは他の光学媒体などの取り出し可能な光ディスク６３１について読み出しおよび書き込みを行うための光ディスク駆動装置６３０をさらに備えることができる。ハードディスク駆動装置６２７、磁気ディスク駆動装置６２８、および光ディスク駆動装置６３０は、それぞれハードディスクドライブインターフェイス６３２、磁気ディスクドライブインターフェイス６３３、および光ディスクドライブインターフェイス６３４によってシステムバス６２３に接続される。駆動装置およびそれらの関連のコンピュータにとって読み取り可能な媒体が、コンピュータにとって読み取り可能なインストラクション、データ構造、プログラムモジュール、およびコンピュータ６２０用の他のデータの不揮発記憶装置をもたらす。本明細書に記載のとおり、コンピュータにとって読み取り可能な媒体は、実体のある物理的な現実の製造物であり、したがって信号そのものではない。
【００３６】
本明細書において説明される典型的な環境は、ハードディスク、取り出し可能な磁気ディスク６２９、および取り出し可能な光ディスク６３１を使用しているが、コンピュータによるアクセスが可能なデータを記憶することができるコンピュータにとって読み取り可能な他の種類の媒体も、典型的な動作環境において使用することができる。そのような他の種類の媒体として、これらに限られるわけではないが、磁気カセット、フラッシュメモリカード、デジタルビデオまたは多用途ディスク、Ｂｅｒｎｏｕｌｌｉカートリッジ、ランダムアクセスメモリ（ＲＡＭ）、読み出し専用メモリ（ＲＯＭ）などが挙げられる。
【００３７】
オペレーティングシステム６３５、１つ以上のアプリケーションプログラム６３６、他のプログラムモジュール６３７、およびプログラムデータ６３８など、いくつかのプログラムモジュールを、ハードディスク、磁気ディスク６２９、光ディスク６３１、ＲＯＭ６２４、またはＲＡＭ６２５に保存することができる。ユーザは、キーボード６４０およびポインティングデバイス６４２などの入力装置を通じてコンピュータ６２０にコマンドおよび情報を入力することができる。他の入力装置（図示されていない）として、マイクロホン、ジョイスティック、ゲームパッド、サテライトディスク（ｓａｔｅｌｌｉｔｅ  ｄｉｓｋ）、スキャナなどを挙げることができる。これらの入力装置および他の入力装置は、多くの場合、システムバスに接続されたシリアルポートインターフェイス６４６によって処理ユニット６２１に接続されるが、パラレルポート、ゲームポート、またはユニバーサルシリアルバス（ＵＳＢ）などの他のインターフェイスによって接続されてもよい。モニタ６４７または他の種類の表示装置も、ビデオアダプタ６４８などのインターフェイスを介してシステムバス６２３に接続される。モニタ６４７に加えて、コンピュータは、スピーカおよびプリンタなどの他の周辺出力装置（図示されていない）を含むことができる。図６の典型的なシステムは、ホストアダプタ６５５、スモールコンピュータシステムインターフェイス（ＳＣＳＩ）バス６５６、およびＳＣＳＩバス６５６に接続された外部記憶装置６６２をさらに備える。
【００３８】
コンピュータ６２０は、リモートコンピュータ６４９などの１つ以上の遠方のコンピュータへの論理接続を使用して、ネットワーク環境において動作することができる。リモートコンピュータ６４９は、パーソナルコンピュータ、サーバ、ルータ、ネットワークＰＣ、ピアデバイス、または他の共通ネットワークノードであってよく、図５においてはメモリ記憶装置６５０だけしか示されていないが、コンピュータ６２０に関して上述した構成要素の多くまたはすべてを備えることができる。図５に示されている論理接続は、ローカルエリアネットワーク（ＬＡＮ）６５１およびワイドエリアネットワーク（ＷＡＮ）６５２を含んでいる。そのようなネットワーク環境は、事務所、企業規模のコンピュータネットワーク、イントラネット、およびインターネットにおいて一般的である。
【００３９】
ＬＡＮネットワーク環境において使用されるとき、コンピュータ６２０は，ネットワークインターフェイスまたはアダプタ６５３によってＬＡＮ６５１に接続される。ＷＡＮネットワーク環境において使用されるとき、コンピュータ６２０は、モデム６５４またはインターネットなどのワイドエリアネットワーク６５２を介した通信を確立するための他の手段を備えることができる。内部または外部にあってよいモデム６５４は、シリアルポートインターフェイス６４６を介してシステムバス６２３に接続される。ネットワーク環境においては、コンピュータ６２０に関して示したプログラムモジュールまたはそれらの一部分が、遠方のメモリ記憶装置に保存されてもよい。図示のネットワーク接続が例示であり、コンピュータ間の通信リンクを確立する他の手段を使用できることを、理解できるであろう。
【００４０】
コンピュータ６２０は、種々のコンピュータにとって読み取り可能な記憶媒体を備えることができる。コンピュータにとって読み取り可能な記憶媒体は、コンピュータ６２０によるアクセスが可能な任意の利用可能な媒体であってよく、揮発および不揮発の両方の媒体、ならびに取り出し可能または取り出し不可能な媒体を含む。例として、これらに限られるわけではないが、コンピュータにとって読み取り可能な媒体は、コンピュータ記憶媒体および通信媒体を含むことができる。コンピュータ記憶媒体は、コンピュータにとって読み取り可能なインストラクション、データ構造、プログラムモジュール、または他のデータなどの情報を記憶するための任意の方法または技術で実現された揮発および不揮発の両方の取り出し可能および取り出し不可能な媒体を含む。コンピュータ記憶媒体として、これらに限られるわけではないが、ＲＡＭ、ＲＯＭ、ＥＥＰＲＯＭ、フラッシュメモリ、または他のメモリ技術、ＣＤ−ＲＯＭ、デジタル多用途ディスク（ＤＶＤ）、または他の光ディスク記憶装置、磁気カセット、磁気テープ、磁気ディスク記憶装置、または他の磁気記憶装置、あるいは所望の情報の保存に使用でき、コンピュータ６２０によるアクセスが可能である任意の他の媒体が挙げられる。上記の任意の組み合わせも、本明細書に記載の方法およびシステムを実現するためのソースコードを保存するために使用することができるコンピュータにとって読み取り可能な媒体の範囲に含まれなければならない。本明細書に開示の特徴または構成要素の任意の組み合わせを、１つ以上の実施形態において使用することができる。
【００４１】
図面に示されるとおりの本発明の主題の実施形態の説明においては、分かりやすくする目的で、具体的な用語が使用されている。しかしながら、特許請求の範囲に記載される主題は、そのように選択された具体的な用語には限定されず、各々の具体的な構成要素が、類似のやり方で動作して類似の目的を果たすすべての技術的な均等物を含むことを、理解すべきである。エアロゾル化された腐食防止流体、気体の腐食防止流体、またはエアロゾル化されていない液体の腐食防止流体を、実現することができる。発電システムのためのガスタービンエンジンを説明したが、他の同様のタービンエンジンの構成も、本明細書において想定される。本明細書において述べた腐食防止流体を、入口抽気加熱システム、気化冷却システム、ベルマウスノズル、抽出配管、または他の装置などの種々のシステムによって同時に適用することができる。腐食防止流体に関して、本明細書に開示した特徴または構成要素の任意の組み合わせを、１つ以上の実施形態において使用することができる。
【００４２】
本明細書においては、本発明を最良の態様を含めて開示するとともに、あらゆる装置またはシステムの製作および使用ならびにあらゆる関連の方法の実行を含む本発明の実施を当業者にとって可能にするために、いくつかの実施例を使用している。本発明の特許可能な技術的範囲は、特許請求の範囲によって定められ、当業者にとって想到される他の実施例も含むことができる。そのような他の実施例は、それらが特許請求の範囲の文言から相違しない構造要素を有しており、あるいは特許請求の範囲の文言から実質的には相違しない同等の構造要素を含むならば、特許請求の範囲の技術的範囲に包含される。
【符号の説明】
【００４３】
１５  圧縮機
１７  タービン
２２  空気の流れ
５４  Ａ段
５５  Ｂ段
５６  Ｃ段
５９  翼
６０  翼
６１  翼
６５  ロータホイール
６７  羽根
７５  ベルマウス
１０５  発電システム
１１４  入口フード
１１０  入口フィルタ室
１１１  ＩＢＨマニホールド
１１２  空気ダクト、通路
１２４  ＩＢＨ配管
１１７  圧縮機、圧縮機部分
１１８  燃焼部分
１１９  タービン
１１６  ガスタービンエンジン
１２０  腐食防止流体の供給源
１２２  腐食防止流体配管
１９０  制御システム
４００  方法
４０５  方法４００の一ブロック
４１０  方法４００の一ブロック
４１５  方法４００の一ブロック
５００  方法
５０５  方法５００の一ブロック
５１０  方法５００の一ブロック
５１５  方法５００の一ブロック
６２０  コンピュータ
６２１  処理ユニット
６２２  システムメモリ
６２３  システムバス
６２４  ＲＯＭ
６２５  ＲＡＭ
６２６  ＢＩＯＳ
６２８  フロッピーディスク駆動装置
６２９  記憶媒体
６３０  光ディスク駆動装置
６３１  記憶媒体
６３２  ハードディスクドライブインターフェイス
６３３  磁気ディスクドライブインターフェイス
６３４  光ディスクドライブインターフェイス
６３５  オペレーティングシステム
６３６  アプリケーションプログラム
６３７  他のプログラム
６３８  プログラムデータ
６４０  キーボード
６４２  マウス
６４６  シリアルポートインターフェイス
６４７  モニタ
６４８  ビデオアダプタ
６４９  リモートコンピュータ
６５０  メモリ
６５１  ローカルエリアネットワーク
６５２  ワイドエリアネットワーク
６５３  ネットワークインターフェイス
６５４  モデム
６５５  ホストアダプタ
６５６  ＳＣＳＩバス
６６２  記憶装置
【図１】
2015113840.tif 000003
【図２】
2015113840.tif 000004
【図３】
2015113840.tif 000005
【図４】
2015113840.tif 000006
【図５】
2015113840.tif 000007